(57)【特許請求の範囲】
【請求項１】
取付け側（Ａ）とワイパー側（Ｂ）とが９０度をなすエルボ形状であって両端部（５ａ、５ｂ）はホース（８）の嵌入可能なニップル形状であり、車両の運転席前部のウインドシールド下方に設けられ、車体外板（１）を貫通して洗浄液をワイパー（３）へ供給する洗浄液供給ラインの接続に用いられるジョイント（５）の前記外板（１）への取付け構造において、前記ジョイント（５）は取付け側（Ａ）の中間にフランジ部（５ｆ）が形成され、そのフランジ部の先端部（５ａ）寄りには鋭角をなしてフランジ（５ｆ）方向に開いた複数の可撓性の爪（５ｃ、５ｃ）が一体に形成され、その爪（５ｃ）の尖端（５ｇ）は内方に曲がった形状でフランジ部（５ｆ）との間隙（ｄ）が外板（１）を挟持する適寸とされており、そして車体外板（１）の洗浄液供給ライン貫通部に穿設したジョイント取付け孔（４）には、ジョイントのフランジ首下部（５ｅ）と遊嵌される直径の丸孔部（４ａ）と、対向する溝底間の距離（Ｌ１）が前記爪（５ｃ）の自由状態外寸（Ｓ）より狭く、かつ爪（５ｃ）が内方に撓むことで挿入できる寸法の挿入溝（４ｂ）と、その挿入溝（４ｂ）と略９０度回転位置に対向する溝底間の距離（Ｌ２）が前記爪（５ｃ）の自由状態外寸（Ｓ）より広い寸法の取外し溝（４ｃ）とが設けてあり、前記爪（５ｆ）を挿入溝（４ｂ）の位置に合わせて挿入しフランジ（５ｆ）と爪尖端（５ｇ）とが外板（１）を挟持して取付けられ、その取付け位置から回転し爪（５ｃ）を取外し溝（４ｃ）の位置に合わせて取外せるように構成されていることを特徴とするワイパーの洗浄液供給ラインのジョイント取付け構造。
【発明の詳細な説明】
【技術分野】
【０００１】
本発明は、洗浄液を車両のウインドシールドに設けられたワイパーへ供給する洗浄液供給ラインにおける車体外板の内外を接続するジョイントの取付け構造に関する。
【背景技術】
【０００２】
従来、車両のウインドシールドに設けられたワイパーには、ワイパーブレードに洗浄液を供給して払拭するように構成されており、図１にはキャブオーバー車の運転席前面におけるその洗浄液供給ラインのボデー外板１の貫通部のライン接続構造を示している。
図において運転席前部のウインドシールド２下方のボデー外板１には、ワイパーピボット軸３ｃの近傍にジョイント５が取付けられ、そのジョイント５からワイパーアーム３ａとの間にはホース８を用いて接続され、アーム先端にあるノズル３ｂへ連通されている。
【０００３】
このジョイント５は、図３に示すように取付け側Ａとワイパー側Ｂとが９０度をなすエルボ状に形成され、その両端部５ａ、５ｂはホース８をはめ込むニップル状に形成されている。そのエルボ形状本体の取付け側Ａには中間にフランジ部５ｆが形成されており、その先端部５ａ寄りには鋭角をなしてフランジ５ｆ方向に開いた複数（図示例では２本）の爪５ｃ、５ｃが設けられている。この爪５ｃは、弾性変形が可能にエルボ形状本体と一体に形成され、その弾性と傾斜によって後記のように取付け孔に対し一方向に挿入可能となっている。
【０００４】
車体側の外板１には、図６に示すように、ジョイント本体部が貫通する丸孔部１４ａに加えて前記爪５ｃが弾性変形して通過することができる対辺距離Ｌ１の４辺形状の溝部１４ｂを有する取付け孔１４が穿設されている。
このような構成によって、ジョイント５の爪５ｃを有する取付け側Ａが外板に穿った取付け孔１４に押し込まれ、フランジ部５ｆが外板に当接すると爪５ｃが開いてジョイント５は外板１に固着される。
【０００５】
以上の構成により、ジョイント５の取付け作業は容易ではあるが、一方、その取外しには外板の裏側から爪５ｃを閉じてやらないと取外すことができず、この部位には通常、手を入れることが困難であり、したがって取外しは大変面倒である。
そのため、ジョイント５の取付け、取外しを容易にすることが望まれるが、未だに実現されていないのが現状である。
【０００６】
その他の従来技術として、例えば、スクリーンワイパーを軌道上で移動して窓ガラスの洗浄を行う窓ガラス用洗浄器具が提案されている（特許文献１参照）。
しかし、係る洗浄器具は家庭等の窓ガラスの洗浄を対象とするものであり、しかも、上述したジョイントの取付け及び／又は取外しを容易にするものではない。
【特許文献１】特表２００４−５０４８７６号公報
【発明の開示】
【発明が解決しようとする課題】
【０００７】
本発明は、上記問題点に対処し、取付け作業が容易であるのみではなく、取外し作業も容易であるワイパーの洗浄液供給ラインに用いられるジョイントの取付け構造を提供することを目的としている。
【課題を解決するための手段】
【０００８】
本発明によれば、取付け側（Ａ）とワイパー側（Ｂ）とが９０度をなすエルボ形状であって両端部（５ａ、５ｂ）はホース（８）の嵌入可能なニップル形状であり、車両の運転席前部のウインドシールド下方に設けられ、車体外板（１）を貫通して洗浄液をワイパー（３）へ供給する洗浄液供給ラインの接続に用いられるジョイント（５）の前記外板（１）への取付け構造において、前記ジョイント（５）は取付け側（Ａ）の中間にフランジ部（５ｆ）が形成され、そのフランジ部の先端部（５ａ）寄りには鋭角をなしてフランジ（５ｆ）方向に開いた複数の可撓性の爪（５ｃ、５ｃ）が一体に形成され、その爪（５ｃ）の尖端（５ｇ）は内方に曲がった形状でフランジ部（５ｆ）との間隙（ｄ）が外板（１）を挟持する適寸とされており、そして車体外板（１）の洗浄液供給ライン貫通部に穿設したジョイント取付け孔（４）には、ジョイントのフランジ首下部（５ｅ）と遊嵌される直径の丸孔部（４ａ）と、対向する溝底間の距離（Ｌ１）が前記爪（５ｃ）の自由状態外寸（Ｓ）より狭く、かつ爪（５ｃ）が内方に撓むことで挿入できる寸法の挿入溝（４ｂ）と、その挿入溝（４ｂ）と略９０度回転位置に対向する溝底間の距離（Ｌ２）が前記爪（５ｃ）の自由状態外寸（Ｓ）より広い寸法の取外し溝（４ｃ）とが設けてあり、前記爪（５ｆ）を挿入溝（４ｂ）の位置に合わせて挿入しフランジ（５ｆ）と爪尖端（５ｇ）とが外板（１）を挟持して取付けられ、その取付け位置から回転し爪（５ｃ）を取外し溝（４ｃ）の位置に合わせて取外せるように構成されている。
【発明の効果】
【００１０】
本発明は上記の構成により以下の作用効果を奏する。
（１）  ジョイントを爪が取外し溝と合うように回転するだけで容易に取外しが可能で、従来のように外板裏側に手を入れて作業をする必要がない。
（２）  車体外板のジョイント取付け孔の対応で済み、従来部品の大幅な変更をする必要はない。
【発明を実施するための最良の形態】
【００１１】
以下、添付図面を参照して本発明の最良の実施形態について説明する。なお、前記図１および図３の説明における構成部品については、同じ符号を付して重複した説明は省略する。
図２は、本発明による車体外板１のワイパーのピボット軸３ｃの近傍に穿設される取付け孔４の形状を示している。なお、この取付け孔４を介して取付けられるジョイント５は、前記背景技術で説明した従来品と基本的には同一形状である。
取付け孔４は、丸孔部４ａと、対向する溝底間の距離Ｌ１がジョイントの爪５ｃの自由状態外寸Ｓより狭く、爪５ｃが内方に撓むことで挿入できる寸法の挿入溝４ｂと、その略９０度回転位置に対向する溝底間の距離Ｌ２がジョイントの爪５ｃの自由状態の外寸Ｓ（図３参照）より広く通過が可能な寸法の取外し溝４ｃとで構成されている。（なお、図中ハッチング部は爪５ｃの位置を参考に示している。）
【００１２】
一方、図３において、ジョイント５のフランジ部５ｆの首下部５ｅの外径は、取付け孔の丸孔部４ａが遊嵌できる寸法であり、また、爪５ｃのフランジ側の尖端部は内方に曲がった形状に形成されており、その尖端とフランジ部５ｆとの間隙ｄは、外板１を挟持する適寸とされている。
【００１３】
以下、ジョイント５の車体外板１への取付け取外し手順について説明する。
まず車体外板１には、ワイパー３の洗浄液供給ラインのジョイント取付け位置に前記取付け孔４を穿孔しておく。なお、その位置は、ワイパーピボット軸３ｃの近傍でホース８の配索が容易な位置とし（あまり近いとワイパーの動きと干渉する恐れがある。）、また、挿入溝４ｂの方向は先端部（出口）５ｂの方向が適切な方向となるように決定する。
【００１４】
次ぎに、爪５ｃを挿入溝４ｂに合わせてジョイント５を押入すれば、爪５ｃは弾性変形して溝の対向寸法Ｌ１となって挿入される。そして、爪の尖端が内方に曲げられているので頂点を越えれば変形が復元し、フランジ部５ｆが外板１に当接して取付けられる（図４にその状態が示されている）。そして、その後にホース８の接続が行われる。
【００１５】
また、ジョイント５の取外しには、ジョイント５を９０度回転して爪５ｃの位置を取外し溝４ｃに合わせれば（図５にその状態が示されている）、容易に引き出すことができる。
【００１６】
なお、以上の実施形態について、ジョイント５に２本の爪５ｃを設けた場合について説明したが、爪は３本以上であってもよい。例えば３本の爪の場合は１２０度の間隔とし、約６０度回転した位置に取外し溝を設けることになる。
【図面の簡単な説明】
【００１７】
【図１】車体前面に本発明に基づきワイパーへの洗浄液供給ラインのジョイントを取付けた状態を示す斜視図。
【図２】本発明によるジョイント取付け孔の形状を示す平面図。
【図３】本発明に使用するジョイントの形状を示す側面図。
【図４】ジョイントの取付け状態を示す側面図（図２のＣ矢視図）。
【図５】ジョイントを取外すため回転した状態を示す側面図（図２のＤ矢視図）。
【図６】従来のョイント取付け孔の形状を示す平面図。
【符号の説明】
【００１８】
１・・・車体外板
２・・・ウインドシールド
３・・・ワイパー
４、１４・・・取付け孔
４ｂ、１４ｂ・・・挿入溝
４ｃ・・・取外し溝
５・・・ジョイント
５ｃ・・・爪
５ｆ・・・フランジ部
８・・・ホース
【図１】
0004697790.tif 000002
【図２】
0004697790.tif 000003
【図３】
0004697790.tif 000004
【図４】
0004697790.tif 000005
【図５】
0004697790.tif 000006
【図６】
0004697790.tif 000007